(57)【要約】【課題】    過剰量の糊を除去するかあるいは糊の垂れが形成するのを阻止するのに適した装置とその方法を提案することである。【解決手段】糊ノズルの流出開口部の領域内で、糊を液化するために適した物質を供給するための供給部が、物質が移動される帯状物品の移送方向で、糊ノズルのすぐ後方で供給可能であるように設けられていることによって解決される。【選択図】  図２ 
2004337150.tif 000002
【特許請求の範囲】
【請求項１】
移動される帯材、特にシガレット連続体製造機におけるテープ状のシガレット被覆紙テープあるいはシガレット包装機の折畳み箱用裁断片に糊を塗布するための装置であって、
糊（１１）で充填された貯蔵容器に接続されている接触糊ノズル（１２）を備え、糊（１１）が移送手段により接触糊ノズル（１２）の貯蔵容器から供給され、流出開口部（１３）の領域内で流出開口部から外へ移送され、かつ接触糊ノズル（１２）の傍らを通り過ぎて移動される帯材上に塗布される様式の、糊を塗布するための装置において、
接触糊ノズル（１２）の流出開口部（１３）の領域内で、糊（１１）を液化するのに適した物質（２５）を供給するための供給部（１４）が、物質（２５）が移動される帯材の移送方向で、接触糊ノズル（１２）のすぐ後方で供給可能であるように設けられていることを特徴とする装置。
【請求項２】
供給部（１４）が、物質（２５）が接触糊ノズル（１２）と移動される帯材、例えばシガレット被覆紙（１９）との間に形成された糊接触領域（２６）のすぐ後方で案内されるように設けられていることを特徴とする請求項１記載の装置。
【請求項３】
供給部（１４）が、物質（２５）を正確に供給するように形成されていることを特徴とする請求項１または２記載の装置。
【請求項４】
供給部（１４）が、毛細管（１５）であることを特徴とする請求項１〜３のいずれか一つに記載の装置。
【請求項５】
供給部（１４）すなわち毛細管（１５）が、接触糊ノズル（１２）と離れて形成されており、かつこのノズルに固定されていることを特徴とする請求項１〜４のいずれか一つに記載の装置。
【請求項６】
供給部（１４）すなわち毛細管（１５）が、接触糊ノズル（１２）に対して選択的に間隔ｄをもって設けられているかあるいはこのノズルに近接していることを特徴とする請求項５記載の装置。
【請求項７】
供給部（１４）すなわち毛細管（１５）が、接触糊ノズル（１２）の統合された構成要素であることを特徴とする請求項１〜４のいずれか一つに記載の装置。
【請求項８】
供給部（１４）すなわち毛細管（１５）が、配量ユニット（２７）の構成要素であることを特徴とする請求項１〜７のいずれか一つに記載の装置。
【請求項９】
配量ユニット（２７）が、さらに圧力制御装置（２８）と、物質（２５）を収容するための貯蔵容器（２９）と、導管系統（３０）と、微細フィルタ（３１）と、微細配量弁（３２）と、排出弁（３３）と制御ユニット（３４）とを有していることを特徴とする請求項８記載の装置。
【請求項１０】
配量ユニット（２７）が、モジュールで形成されていることを特徴とする請求項８または９記載の装置。
【請求項１１】
物質（２５）が薄液状の液体、特に水であることを特徴とする請求項１〜１０のいずれか一つに記載の装置。
【請求項１２】
選択によって連続的にあるいは間欠的に移動される帯材が、接触糊ノズル（１２）の傍らを通り過ぎて移送され、かつ接触糊ノズル（１２）によって糊（１１）が塗布される様式の、移送される帯材、特にシガレット連続体製造機のテープ状のシガレット被覆紙テープあるいはシガレット包装機の折畳み箱用裁断片に糊を塗布するための方法において、
糊（１１）を液化するのに適した物質（２５）が、移動される帯材の移送方向で、接触糊ノズル（１２）のすぐ後方で供給されることを特徴とする方法。
【請求項１３】
接触糊ノズル（１２）の後方で生じる過剰量の糊を、接触糊ノズル（１２）のすぐ後方で液化することを特徴とする請求項１２記載の方法。
【請求項１４】
糊の過剰量を、薄液状の液体、特に水を用いて、水を接触糊ノズル（１２）と移動される帯材、例えばシガレット被覆紙（１９）との間に形成される接触領域（２６）のすぐ後方で案内するようにして液化することを特徴とする請求項１２または１３記載の方法。
【請求項１５】
物質（２５）を間欠的に供給することを特徴とする請求項１２〜１４のいずれか一つに記載の方法。
【請求項１６】
物質（２５）の供給を、配量ユニット（２７）を介して、時間および／または量に依存して制御することを特徴とする請求項１２〜１５のいずれか一つに記載の方法。
【請求項１７】
液化／希釈された過剰量の糊を、移送方向でさらに移送し、かつ移動される帯材、例えばシガレット被覆紙（１９）によって吸収させることを特徴とする請求項１３〜１６のいずれか一つに記載の方法。
【発明の詳細な説明】
【技術分野】
【０００１】
本発明は、糊で充填された貯蔵容器に接続されている接触糊ノズルを含み、糊が移送手段により接触糊ノズルの貯蔵容器から供給され、流出開口部の領域で流出開口部から外へ移送され、かつ接触糊ノズルの傍らを通り過ぎて移動される帯材上に塗布される様式の、移動される帯材、特にシガレット連続体製造機のテープ状のシガレット被覆紙あるいはシガレット包装機の折畳み箱用裁断片に糊を塗布するための装置に関する。
【０００２】
さらに本発明は、選択によって連続的にあるいは間欠的に移動される帯材が、接触糊ノズルの傍らを通り過ぎて移送され、かつ接触糊ノズルによって糊が塗布される様式の、移動される帯材、特にシガレット連続体製造機のテープ状のシガレット被覆紙あるいはシガレット包装機の折畳み箱用裁断片に糊を塗布するための方法に関する。
【背景技術】
【０００３】
シガレットを製造する際、一本一本あるいは複数のたばこ連続体はシガレット被覆紙を用いて被覆されるが、このシガレット被覆紙は、最終的なたばこ連続体を形成するために糊を塗布した後しっかり閉じられる。シガレットの包装組立て時には、折畳み箱用裁断片は決められた場所へ糊を供給される。糊を塗布するために、テープ状のシガレット被覆紙、すなわちシガレット被覆紙の露出している縁部、および折畳み箱用裁断片あるいは他の帯材は、糊を塗布するための装置の傍らで、接着ノズルのそばを正確に移送される。通常ここでいう接触ノズルとは、接触糊ノズルであるが、この接触糊ノズルは移動される帯材、すなわち例えばシガレット被覆紙に近接しており、糊を接触糊ノズルの傍らを連続的に通り過ぎて移送されるシガレット被覆紙に塗布する。さらに他の移動される帯材、例えば折畳み箱用裁断片に糊を塗布する場合、接触糊ノズルは、間欠的に接触糊ノズルの傍らを通り過ぎて移動される折畳み箱用裁断片に対して、わずかな間隔をもって設けられている。ただしシガレット被覆紙か、折畳み箱用裁断片かあるいはそのようなものに糊を塗布する際には、接触糊ノズルに慢性的な汚化が生じる。特に移動される帯材を移送する方向で、接触糊ノズルの後方に、しかも通常接触糊ノズルと移動される帯材の外壁部によって形成される鋭角をなして、いわゆる“糊の垂れ”が生じる。この糊の垂れは次第に大きくなり、粉塵によりさらに汚染された糊の垂れは、わずかな時間の後、厳密に説明し得ないが剥離され、この糊の垂れはシガレット被覆紙に糊を塗布する際にシガレット被覆紙の移送方向に帯同される。その際しばしば連続体の破断が生じ、このことにより機械が停止してしまう。折畳み箱用裁断片に糊を塗布する場合は、例えば接触糊ノズルと裁断片との間に、過剰量の糊から石筍および鍾乳石と呼ばれる糊の垂れが生じる。この糊の垂れにより、ノズルが詰まったり工程ラインが中断したりする。
【発明の開示】
【発明が解決しようとする課題】
【０００４】
本願発明の課題は、過剰量の糊を除去するかあるいは糊の垂れが形成するのを阻止するのに適している装置を提供することである。本発明の他の課題は、過剰量の糊を除去するかあるいは糊の垂れが形成するのを阻止する方法を提案することである。
【課題を解決するための手段】
【０００５】
この課題は最初に挙げた様態の装置を介して、接触糊ノズルの流出開口部の領域内で、糊を液化するために適した物質を供給するための供給部が、物質が移動される帯材の移送方向で、接触糊ノズルのすぐ後方で供給可能であるように設けられていることによって解決される。この本発明による実施形態により、意外に簡単でかつ効果的な方法で、過剰量の糊の形成を、特にすでに論じられた糊の垂れの形で阻止することができる。なぜなら、さらに供給される物質が、過剰量の糊が発生あるいはせき止められるすぐ後で、過剰量の糊が液化するか、あるいはすでに硬化した糊の垂れが液化するからである。移動される帯材の移送方向で、接触糊ノズルのすぐ後方で、糊が液化されるかあるいは希釈されることによって、過剰量の糊は“危険領域”、つまり接触糊ノズルと移動される帯材の間に形成された接触領域から導出されるので、接触糊ノズルでの糊の硬化は避けられ、それに伴い汚化も上手く回避されるかあるいは糊も全く固化しない。
【０００６】
供給部が毛細管として形成されているのは有利である。特に供給部が薄く形成されると、−言い換えると、特に管の直径が小さいと−一方では、物質の液化／希釈に絶対に必要な最小限の量だけを、接触糊ノズルの後方の領域にもたらすことが保証される。もう一方では、この毛細管を用いることにより、たとえ供給部が遮断されても、供給されるべき物質のコラムは、供給部内でそれ自体常に保っていることが保証されるので、供給部内部に空気は全く滞留しない。
【０００７】
本発明の有利な実施形態では、供給部は配量ユニットの構成要素であって、この配量ユニットは、圧力制御装置と、物質を収容するための貯蔵容器と、導管系統と、微細フィルタと、微細配量弁と、排出弁とならびに制御ユニットを有する。供給部が配量ユニットの構成要素であることによって、必要な物質量ならびに供給部に適した時点を、特に正確な方法で個別に調節しかつ制御することができる。特に物質の容積流はとりわけ微細に変化させることができる。さらに使用目的に応じて、物質を連続的かあるいは周期的に自動供給することができる。
【０００８】
配量ユニットがモジュラー形態であれば特に有利である。それによって特に簡単な方法で、例えば、シガレット連続体製造機や、シガレット包装機やあるいは糊を塗布するための従来通りの装置を備えたそういう機械のような現存する機械を増備でき、そのことによって一方ではメンテナンス費用が下がり、他方では製品コストが下がる。
【０００９】
別の課題は冒頭に挙げた様態のステップを備えた方法を用いて、移動される帯材の移送方向で、接触糊ノズルのすぐ後ろで糊を液化するために適した物質を供給することにより解決される。それによって過剰量の糊はいっそう全く硬化せず、および／または形成しないし、いいかえれば蓄積する過剰量の糊は直ちにほとんど“洗浄除去される”。過剰量の糊により形成される糊の垂れは生じないか、あるいは直ちに液化されるので、連続体の破断の恐れ、およびノズルの詰まりは回避される。
【００１０】
物質が規則的に供給されることは有利である。それによって、一方では常に十分物質が手元にあることが確保され、糊の垂れ／過剰量の糊を希釈するかあるいは液化し、したがって糊の垂れの形成は阻止されるが、他方では、物質の供給は必要な量に制限されるので、供給される物質は、例えばシガレット被覆紙のような移動される帯材によっても吸収することができる。
【発明の効果】
【００１１】
本発明の装置および方法により、過剰量の糊を除去するかあるいは糊のたれの形成を阻止することができる。
【００１２】
本発明の他の有利な仕様や他の形態は、請求項の下位概念と説明により明らかである。
【発明を実施するための最良の形態】
【００１３】
糊を塗布するための装置の特に有利な実施形態を図で示すが、この装置に基づきその方法も記載する。
【実施例】
【００１４】
図１と２に基づいて説明される装置は、特にシガレット被覆紙に糊を塗布するのに役立つ。しかしながら、通常移動される物体、例えば折畳み箱用裁断片に糊を塗布するような他の用途も可能である。
【００１５】
ここで示す装置の場合、糊１１を塗布するための通常の知られた装置１０であるので、糊塗布装置の基本的構成要素は詳しく説明していない。装置１０は基本的に接触糊ノズル１２を備え、この接触糊ノズルは糊１１で充填された（図示していない）貯蔵容器に接続されている。糊１１は（同様に図示していない）移送手段により、接触糊ノズル１２の貯蔵容器から供給され、流出開口部１３の領域内でこの貯蔵容器から供給される。
【００１６】
接触糊ノズル１２の領域内で、流出開口部１３の領域内に正確に、外部から供給される独立した供給部１４が設けられている。図示した実施形態では、この供給部は毛細管１５として形成されている。これは非常に微小な直径を有する管であることを意味する。特に毛細管１５内部における、毛細管１５あるいは管路１６の直径は２ｍｍ未満である。毛細管１５は図示した実施形態においては接触糊ノズル１２とは別々に独立した部材として形成されており、その部材の自由端部１７で、接触糊ノズル１２の自由端部１８と同一平面上で揃えられているかあるいは自由端部１８に対して接着されるシガレット被覆紙１９に関して好ましくはほんのわずかに後方にずらされているように、接触糊ノズル１２に接続されている。特にシガレット被覆紙１９と自由端部１７の間隔は少なくとも０．３ｍｍである。毛細管１５は接触糊ノズル１２に対してわずかな間隔ｄをもって設けられている。この場合間隔ｄは実用的には約0．４ｍｍである。しかしながら他の実施形態では、この間隔ｄはもっと大きな値でもよく、あるいはゼロでもよいので、毛細管１５は接触糊ノズル１２に近接している。さらに他の（図示していない）実施形態では、供給部１４は接触糊ノズル１２と一体に形成されているので、接触糊ノズル１２の統合された構成要素でもある。
【００１７】
接触糊ノズル１２の先端部２０は、自由端部１８に対して前方にわずかに円錐状になっている。毛細管１５の先端部２１の傾斜、すなわち角度は、接触糊ノズル１２あるいは毛細血管１５の外壁部２２あるいは２３が、先端部２０，２１の領域内でほぼ互いに平行に延びるように、先端部２０の角度に一致している。それによって毛細管１５から移送される物質１５は、移動されるテープ状の帯材、すなわちシガレット被覆紙１９の移送方向で、接触糊ノズル１２の後方で供給可能であることが保証されている。毛細管１５の管路１６は外壁部２３に対して同様に平行に延びている。しかし管路１６の配設と管路１６が先端部２１から突出する角度は、同じように先端部２０，２１の配設と同様に互いに可変である。毛細管１５から移送され、毛細管１５の流出開口部２４の領域で流出される−実用的には水である−物質２５が、接触糊ノズル１２あるいは先端部２０と、シガレット被覆紙１９との間に形成された糊接触領域２６のすぐ後方へ案内され、かつ糊１１に、糊を液化するように供給されるように配設されているのが好ましい。物質２５が流出口１３あるいは接触領域２６に近づいて案内されるほど、糊の垂れを形成する傾向が少なくなる。
【００１８】
潜在的に過剰量の糊が溜まり得る領域内で、物質２５を正確に供給することで、糊の垂れの形成を防ぐことができるが、この場合他の方法での糊塗布工程を阻害することはない。
液化／希釈をするために、水以外に、他の粘度の低い液体やガス状の物質を使用することもある。
【００１９】
供給部１４あるいは毛細管１５は、配量ユニット２７の構成要素である。この精密な配量ユニット２７は基本的に圧力制御装置２８と、物質２５を収容するための容器２９と、配量ユニット２７の個別の構成要素を接続するための、特に固定された配管系統３０と、微細フィルタ３１と、ファイン配量弁３２と、容積を制御する排出弁３３とならびに制御ユニット３４とから成る。しかしながら配量ユニット２７は例えば（図示していないが）さらに減圧器、絞り弁あるいはその類の他の要素も備えている。供給部１４を含めた配量ユニット２７全体が、組立て部品としてモジュールで形成されているので、すでに使用されているシガレット製造機の再装備は特に容易にできる。
【００２０】
圧力制御装置２８は通常約５バールの圧力に制御された機械において、圧力を０．５バールの作動圧力まで減圧する。しかし作動圧力まで圧力を減圧するためには、例えば他の圧力制御装置のような付加的な安全要素を使用することもある。さらに、圧力制御装置２８の後方で、かつ貯蔵容器２９の前方に、圧縮空気を挿入するための付加的な（図示していないが）２／３排出弁が設けられている。このような換気機能により、貯蔵容器２９は弁の作動を停止した後、完全に無圧状態となる。貯蔵容器２９は特に５００ｍｌの容積を有しており、かつ約０．５バールのわずかなフィード圧力の下にあるので、容積流は貯蔵容器２９の充填高さに依存しない。
【００２１】
容器２９の後方には、微細フィルタ３１が設けられている。これは一方では微細配量弁３２を、もう一方では、特にソレノイド弁を使用する配量弁３３を汚染から保護している。微細配量弁３２は水量を調節するのに用いられる。接触糊ノズル１２あるいは供給部１４のすぐ前に設けられた配量弁３３すなわちソレノイド弁は、供給部１４の開閉に用いられる。さらに微細配量弁３２と排出弁３３すなわちソレノイド弁の間に、流れ抵抗として、通常約０.６ｍｍの内径を有した付加的な絞り弁が設けられている。ソレノイド弁は制御ユニット３４に接続されており、かつ接触糊ノズル１２あるいは供給部１４にできる限り近接して設けられている。
【００２２】
移動される帯材に糊を塗布することを、テープ状のシガレット被覆紙１９の例に関して以下に説明する。
【００２３】
シガレット被覆紙１９は、高速で連続的に、シガレット製造機の場合例えば７５０ｍ／ｍｉｎまでの速度で、しかも矢印Ａで表示された方向で、接触糊ノズル１２の傍らを通り過ぎて移送される。この際接触糊ノズル１２は先端部２０によってシガレット被覆紙１９と常に接触状態にある。糊１１をシガレット被覆紙１９上に、流出開口部１３から移送することにより連続的に塗布する。糊１１の大部分はシガレット被覆紙１９をその案内領域において湿潤する。しかしながら糊１１の部分は、特にシガレット被覆紙１９の移送により、シガレット被覆紙１９の移送方向で、接触糊ノズル１２の後方に移送され、そこでたまる。この領域内に正確に、すなわち接触糊ノズル１２のすぐ後方にたまる糊１１を液化する付加的な物質２５、特に水が案内される。水の供給は好ましくは周期的に行われる。シガレット被覆紙１９を移送することにより、液化した糊１１は接触領域２６から排出され、かつシガレット被覆紙１９により吸収されるので、過剰量の糊の回収は実際の接着工程において達せられる。この事からどんな種類のゴミもたまらない。水はいずれにしても糊１１の構成要素なので、液化には特に適している。しかし例えば薄液状の媒体言い換えれば水蒸気も使用することができる。
【００２４】
配量ユニット２７を用いて、特に水量と供給時点が調節される。水は周期的に供給することが好ましい。それも連続的に供給することが望まれる。毛細管１５により、好ましくは約８〜１０ｇ／ｈの水量を糊１１に対して塗布する。配量が周期的だと、少なくとも二つの調節が必要である。開放時間とインターバル時間を工程に合わせることができる。開放時間は水量を制御し、必要なときには開放時間を糊の垂れ量に合わせることができる。時間間隔は二つの弁開放の間の時間である。その時間間隔は二つの糊の垂れ形成間の時間よりも常に短くなければならない。水を規則的に配量する場合に、配量弁３３あるいはソレノイド弁は、始めに調節された時間間隔で容積流をオン−オフすることができる。制御ユニット３４を用いて、“ソレノイド弁の開放”の持続時間と同様に“次の弁開放までの休止”の持続時間も調節することができる。周期的な配量によって、毛細管１５の流出開口部２４で糊の垂れを待ち受ける水の滴下が行なわれる。
【００２５】
配量が連続的である場合、ソレノイド弁は開放と遮断に対してのみに用いられる。配量が連続的である場合、糊１１の粘度を変化させないように、連続的ではあるが非常にわずかな流量が調節されていることを、ソレノイド弁が開放されている時に、微細配量弁３２を経由して確認しなければならない。
【００２６】
その他の移動される帯材、例えば折畳み箱用裁断片に糊を塗布することが、基本的に行われる。裁断片を接触糊ノズル１２の傍らを通り過ぎて間欠的に供給すること、しかも裁断片と接触糊ノズル１２の間にわずかな間隔をもって供給することは、確かにこの場合は実用的である。
【図面の簡単な説明】
【００２７】
【図１】所属する供給装置に糊を塗布する（部分的に示すだけの）装置の概略図である。
【図２】図１による、断面で切った接触糊ノズルの拡大図である。
【符号の説明】
【００２８】
１０    装置
１１    糊
１２    接触糊ノズル
１３    流出開口部
１４    供給部
１５    毛細管
１６    管路
１７    自由端部
１８    自由端部
１９    シガレット被覆紙
２０    先端部
２１    先端部
２２    外壁部
２３    外壁部
２４    流出開口部
２５    物質
２６    接触領域
２７    微細配量ユニット
２８    圧力制御部
２９    貯蔵容器
３０    導管系統
３１    微細フィルタ
３２    微細配量弁
３３    排出弁
３４    制御ユニット
【図１】
2004337150.tif 000003
【図２】
2004337150.tif 000004